(57)【要約】【課題】受領票を分離する際に受領票が破れてしまうことを防止し、プリンタカセットに一度に多くの伝票が入れられるようにした配送用ラベル伝票を提供する。【解決手段】上基材と下基材の２枚の基材が貼り合わされ、上基材の一部に略四角形状の第１の切り込みと、左端辺に沿って第２の切り込みが形成され、下基材には、略四角形状で囲む部分に第３の切り込みが形成され、上基材の下面には、前記第２の切り込みよりも内側となる領域に粘着剤層が設けられ、下基材の上側には、上基材の下面に設けられた擬似接着構造部と重なる領域に接着剤層が設けられ、また上基材の下面に設けられた粘着剤層と重なる領域に離型剤層が設けられており、上基材に形成された第２の切り込みの外周側の部分と、上基材に形成された第１の切り込みと下基材に形成された第３の切り込みとの間の部分とにおいて、上基材の下側と下基材の上側とが接着剤で接着されている。【選択図】        図１
2010120277.tif 000002
【特許請求の範囲】
【請求項１】
捺印適正と筆記適正とプリンタ印字適正とを有する上基材と下基材の２枚の基材が貼り合わされてなる配送用ラベル伝票であって、
前記上基材の一部に、略四角形状の第１の切り込みが形成され、更に該上基材の左端辺に沿って第２の切り込みが形成され、
前記下基材には、前記第１の切り込みと重なる部分の領域を含み、該領域よりも四周方向に広い略四角形状で囲む部分に第３の切り込みが形成され、
前記上基材の下面には、前記第１の切り込みで囲われている領域に接着後に剥離可能な擬似接着構造部が設けられ、更に、前記第３の切り込みと重なる領域を除く領域であって、前記第２の切り込みよりも内側となる領域に粘着剤層が設けられ、
前記下基材の表面には、絵柄印刷が施された印刷層が設けられ、
更に、前記下基材の上側には、前記上基材の下面に設けられた擬似接着構造部と重なる領域に接着剤層が設けられ、また前記上基材の下面に設けられた粘着剤層と重なる領域に離型剤層が設けられており、
前記上基材に形成された第２の切り込みの外周側の部分と、前記上基材に形成された第１の切り込みと前記下基材に形成された第３の切り込みとの間の部分とにおいて、前記上基材の下側と前記下基材の上側とが接着剤で接着されていることを特徴とする配送用ラベル伝票。
【請求項２】
前記上基材において、前記第１の切り込みで形成された略四角形状の一角部分に、略三角形状の切り欠き部が設けられ、前記略三角形状の切り欠き部の領域と重なる部分には、前記擬似接着構造部を含む接着剤層を設けない部分を有していることを特徴とする請求項１記載の配送用ラベル伝票。
【請求項３】
前記下基材に形成された第３の切り込みの内、前記切り欠き部と重なる一角部分には、前記切り欠き部の略三角形状の最も長い辺と平行であって、他の交わる2辺まで切り込まれていることを特徴とする請求項２記載の配送用ラベル伝票。
【発明の詳細な説明】
【技術分野】
【０００１】
本発明は、配送品を配送処理する際に、配送品に貼付させた状態で配送し、その配送品を受取人に渡す際に受取を証明するための受領票を配送品から取り外すことができる配送用ラベル伝票に関する。
【背景技術】
【０００２】
近年、印刷コンバーティング技術やＩＴ化の進歩にともない、宅配事業などに用いられている伝票においては、いわゆる１パート式の配送伝票の需要がますます増加している。（例えば、特許文献１〜４参照）
この１パート式の配送伝票としては、大別すると２層式と３層式の２種に分けられる。
【０００３】
まず、２層式の配送伝票は、貼付票部分の裏面に粘着剤を塗布し、受領票部分には粘着剤を塗布しない上紙と、全面に離型剤を塗布した下紙の２種の紙を貼り合わせたものが一般的であり、下紙を剥離して荷物に対して部分的に貼付する方法が取られている。
この方法でのメリットとしては、使用する材料が少ないためにコストが安く、配送伝票の全体の厚みを薄くできるために、プリンタカセットに一度に多くの伝票が入れられるといったことが挙げられる。
また、デメリットとしては、受領票を剥離するためのミシン部分が設けてあることから、ミシン部分からカットしながら剥離する必要があり、丁寧に切り取り剥離させないと受領票自体が破れてしまうというという事故が生じる危険性がある。
更に、配送品に貼付させていない受領票が、配送中に別の配送品に引っかかるなどして、剥がれ落ちてしまう事故が生じる危険性もある。
【０００４】
また、３層式の配送伝票は、上紙とタック紙を貼り合せて製造されるため、配送品に対して全面を貼付させられるので、配送中に剥がれ落ちるといった危険性が少ないが、使用する材料が多いのでコスト高となり、更に、配送伝票の全体の厚みが２層式の配送伝票に比べて厚くなり、プリンタカセットに一度に多くの伝票を入れられないという不便や、プリンタの搬送適正やトナーの定着性が悪いといった問題がある。
また、３層式の配送伝票は、タック紙を裁断して製造するため、粘着剤が製品端面まで塗布されており、プリンタ内部に粘着剤が付着しやすく、印字カスレ、汚れや搬送不良の原因となり問題もあった。
【０００５】
【特許文献１】特開２００１−１２１８４４号公報
【特許文献２】特開２００２−６７５４７号公報
【特許文献３】特開２００２−３３１７７８号公報
【特許文献４】特開２００５−１３２０１１号公報
【発明の開示】
【発明が解決しようとする課題】
【０００６】
そこで、本発明は、使用する材料を少なくしてコストを抑えることができ、また、受領票を剥離するためのミシン部分を設けることなく受領票の剥離を行なうことができるようにして、受領票を分離する際に受領票が破れてしまうことを防止し、更に、プリンタカセットに一度に多くの伝票が入れられるように、配送伝票の全体の厚みを薄くした配送用ラベル伝票を提供する。
【課題を解決するための手段】
【０００７】
本発明の配送用ラベル伝票は、捺印適正と筆記適正とプリンタ印字適正とを有する上基材と下基材の２枚の基材が貼り合わされてなる配送用ラベル伝票であって、前記上基材の一部に、略四角形状の第１の切り込みが形成され、更に該上基材の左端辺に沿って第２の切り込みが形成され、前記下基材には、前記第１の切り込みと重なる部分の領域を含み、該領域よりも四周方向に広い略四角形状で囲む部分に第３の切り込みが形成され、前記上基材の下面には、前記第１の切り込みで囲われている領域に接着後に剥離可能な擬似接着構造部が設けられ、更に、前記第３の切り込みと重なる領域を除く領域であって、前記第２の切り込みよりも内側となる領域に粘着剤層が設けられ、前記下基材の表面には、絵柄印刷が施された印刷層が設けられ、更に、前記下基材の上側には、前記上基材の下面に設けられた擬似接着構造部と重なる領域に接着剤層が設けられ、また前記上基材の下面に設けられた粘着剤層と重なる領域に離型剤層が設けられており、前記上基材に形成された第２の切り込みの外周側の部分と、前記上基材に形成された第１の切り込みと前記下基材に形成された第３の切り込みとの間の部分とにおいて、前記上基材の下側と前記下基材の上側とが接着剤で接着されていることを特徴とする。
【０００８】
また、本発明の配送用ラベル伝票は、前記上基材において、前記第１の切り込みで形成された略四角形状の一角部分に、略三角形状の切り欠き部が設けられ、前記略三角形状の切り欠き部の領域と重なる部分には、前記擬似接着構造部を含む接着剤層を設けない部分を有していることを特徴とする。
【０００９】
更に、本発明の配送用ラベル伝票は、前記下基材に形成された第３の切り込みの内、前記切り欠き部と重なる一角部分には、前記切り欠き部の略三角形状の最も長い辺と平行であって、他の交わる2辺まで切り込まれていることを特徴とする。
【発明の効果】
【００１０】
したがって、本発明の配送用ラベル伝票は、上基材と下基材の２枚の基材が貼り合わされ、上基材の一部を受領票として剥離可能な構成としてあるので、使用する材料を少なくしてコストを抑えることができ、また、受領票を剥離するためのミシン部分を設けることなく受領票の剥離を行なうことができ、受領票を分離する際に受領票が破れてしまうことを防止でき、更に、プリンタカセットに一度に多くの伝票が入れられるという効果がある。
【発明を実施するための最良の形態】
【００１１】
以下、本発明の実施形態に係る配送用ラベル伝票を図面に基づいて詳細に説明する。
図１は、本発明の実施形態に係る配送用ラベル伝票の平面図、図２は、図１のＡ−Ａ線断面図、図３は、本発明の実施形態に係る配送用ラベル伝票の２枚の基材を分離させた状態を示す平面図、図４及図５は、本発明の実施形態に係る配送用ラベル伝票の使用方法を説明するための断面図である。
図１乃至図３に示すように、本発明の実施形態に係る配送用ラベル伝票１は、捺印適正と筆記適正とプリンタ印字適正とを有する上基材２と下基材３の２枚の基材が貼り合わされた構成を有している。
配送用ラベル伝票１を構成する上基材２の内側の一部には、略四角形状を有する第１の切り込み４が形成されている。
【００１２】
そして、上基材２に形成された略四角形状を有する第１の切り込み４の内側の領域は、受領票５となっており、この受領票５の表面には、配送用ラベル伝票１を貼付して配送した際に、その配送品の受取人が受取サインを記入する受取人サイン欄６や捺印部７などが設けられている。
また、上基材２において、略四角形状を有する第１の切り込み４の外側の領域は、配送品に貼付させるための貼付票８となっている。
この貼付票８の表面には、配送品のお届先、ご依頼主、品名などを記入するための記入欄９が設けられている。
更に、配送用ラベル伝票１を構成する上基材２には、左端辺に沿って第２の切り込み１０が形成されている。
【００１３】
次に、配送用ラベル伝票１を構成する下基材３には、上基材２に形成された第１の切り込み４と重なる部分の領域を含み、該領域よりも四周方向に広い略四角形状で囲む部分に第３の切り込み１１が形成されている。
つまり、上基材２に形成された第１の切り込み４の略四角形状よりも一回り大きな略四角形状で、第３の切り込み１１が形成されている。
したがって、上基材２と下基材３とが重なり合わされている状態にある場合に、第３の切り込み１１の略四角形状の内側位置に、第１の切り込み４で形成された略四角形状の部分が位置する状態となっている。
【００１４】
また、上基材２の下面には、第１の切り込み４で囲われている領域に、接着後に剥離可能な擬似接着構造部が設けられている。
この擬似接着構造部としては、上基材２の第１の切り込み４で囲われている領域の部分と、下基材３とが通常は接着状態となっているものの、上基材２の第１の切り込み４で囲われている領域の部分を捲り上げることで剥離可能な構成を有する構造であれば、公知技術のうち、どのような技術を採用してもよい。
尚、本実施形態では、上基材２の第１の切り込み４で囲われている領域の部分の裏面に離型剤層１２が設けられ、また、下基材３の上側には、その離型剤層１２と重なり合う領域に接着剤層１３が設けられている。
【００１５】
また、図２に示すように、接着剤層１３は、上基材２の略四角形状の第１の切り込み４の部分と、下基材３の略四角形状の第３の切り込み１１との間の領域部分にも設けられており、その領域において接着剤層１３により強接着されている。
更に、下基材３の第３の切り込み１１の略四角形状と重なる領域を除く外側領域であって、上基材２の第２の切り込み１０よりも内側となる領域であって、上基材２の裏面には粘着剤層１４が設けられている。
【００１６】
また、下基材３の上側には、上基材２の下面に設けられた粘着剤層１４と重なる領域に離型剤層１５が設けられている。
更に、上基材２の第２の切り込み１０よりも外側となる領域であって、上基材２の裏面には接着剤層１６が設けられており、上基材２の下側と下基材３の上側とが強接着状態になっている。
下基材３の表面には、絵柄印刷が施された印刷層１７が設けられている。
【００１７】
また、配送用ラベル伝票１は、図３に示すように、上基材２において、第１の切り込み４で形成された略四角形状の一角部分に、略三角形状の切り欠き部１８が設けられている。
そして、略三角形状の切り欠き部１８の領域と重なる部分には、擬似接着構造部を含む接着剤層１３を設けない部分を有している。
更に、配送用ラベル伝票１は、下基材３に形成された第３の切り込み１１の内、その切り欠き部１１と重なる一角部分には、切り欠き部１１の略三角形状の最も長い辺と平行であって、他の交わる2辺まで切り込まれて形成されている。
【００１８】
次に、配送用ラベル伝票１の使用方法を、図４及び図５に基づいて説明する。
まず、配送用ラベル伝票１の使用者は、図１に示す状態で、配送用ラベル伝票１の上基材２の表面に必要事項を記入する。
次に、図４に示すように、上基材２に形成されている第２の切り込み１０と、下基材３に形成された第３の切り込み１１とから、上基材２の下側に重ねられている下基材３の一部分を剥離させて分離する。
この状態となることで、上基材２の下面に設けられた粘着剤層１４が表面化されて、粘着剤層１４により配送品１９の所定部分に貼付できる。
図５には、配送品１９に対して、粘着剤層１４により上基材２を貼り付けた状態が示されている。
【００１９】
そして、図５に示す状態で配送品１８に上基材２が貼り付けられて配送される。
次に、その配送品１９を受取者に届けた際に、上基材２の第１の切り込み４で囲われている領域の受領票５を第１の切り込み４の角に設けられている切り欠き部から指で捲り上げることで、擬似接着構造部を含む接着剤層１３から剥離させる。
そして、受取人から、受領票５の表面にある受取人サイン欄６や捺印部７にサインや捺印をもらうことで配送者の控えとする。
【００２０】
上記のように、本発明の配送用ラベル伝票１は、上基材と下基材の２枚の基材が貼り合わされて構成してあるので、伝票全体の厚みを薄くすることができるので、プリンタカセットに一度に多くの伝票が入れられる。
また、受領票を剥離するためのミシン部分を設けていないので、受領票を分離させる際に受領票を破いてしまうこともない。
【図面の簡単な説明】
【００２１】
【図１】本発明の実施形態に係る配送用ラベル伝票の平面図である。
【図２】図１のＡ−Ａ線断面図である。
【図３】本発明の実施形態に係る配送用ラベル伝票の２枚の基材を分離させた状態を示す平面図である。
【図４】本発明の実施形態に係る配送用ラベル伝票の使用方法を説明するための断面図である。
【図５】本発明の実施形態に係る配送用ラベル伝票の使用方法を説明するための断
【符号の説明】
【００２２】
１  配送用ラベル伝票
２  上基材
３  下基材
４  第１の切り込み
５  受領票
６  受取人サイン欄
７  捺印部
８  貼付票
９  記入欄
１０  第２の切り込み
１１  第３の切り込み
１２，１５  離型剤層
１３，１４，１６  粘着剤層
１７  印刷層
１８  切り欠き部
１９  配送品
【図１】
2010120277.tif 000003
【図２】
2010120277.tif 000004
【図３】
2010120277.tif 000005
【図４】
2010120277.tif 000006
【図５】
2010120277.tif 000007